(57)【特許請求の範囲】
【請求項１】
映像信号が入射する左眼用領域と右眼用領域を含み、上記左眼用領域と右眼用領域は、２つ以上の光学異方性フィルムを含み、下記式１で計算される数値が１２５ｎｍ〜４００ｎｍであり、下記式２で計算される数値が０．８３〜１．８３である光学異方性層；及び偏光子をそれぞれ含む偏光メガネであって、
前記光学異方性層は、前記映像信号が入射する側から順次に配置された、第１＋Ｂプレートと第２＋Ｂプレート、−Ｂプレートと＋Ｃプレート、−Ｃプレートと＋Ｂプレート、＋Ａプレートと＋Ｂプレート、＋Ｂプレートと＋Ａプレート、−Ｃプレートと＋Ｂプレートと＋Ａプレート、第１＋Ａプレートと＋Ｂプレートと第２＋Ａプレート、＋Ｂプレートと＋Ｃプレートと＋Ａプレート、第１＋Ａプレートと＋Ｃプレートと第２＋Ａプレート、または、第１＋Ｃプレートと第１＋Ａプレートと第２＋Ｃプレートと第２＋Ａプレートから成り、
［式１］
ＤＸ−ＤＹ
［式２］
（Ｘ−Ｙ）／（Ｚ−Ｙ）
上記式１及び式２で、Ｘは、上記光学異方性層の面内における遅相軸方向の屈折率であり、Ｙは、上記光学異方性層の面内における進相軸方向の屈折率であり、Ｚは、上記光学異方性層の厚さ方向の屈折率であり、Ｄは、上記光学異方性層の厚さである、偏光メガネ。
【請求項２】
上記左眼用領域の光学異方性フィルムの光軸と上記右眼用領域の光学異方性フィルムの光軸の二等分線が、上記偏光子の光吸収軸と垂直または水平を成すことを特徴とする請求項１に記載の偏光メガネ。
【請求項３】
上記光学異方性層は、映像信号が入射する側から順次に配置された第１＋Ｂプレート及び第２＋Ｂプレートから成り、上記右眼用領域の第１＋Ｂプレートの光軸と上記左眼用領域の第１＋Ｂプレートの光軸の二等分線は、上記偏光子の光吸収軸と垂直または水平を成し、上記右眼用領域の第２＋Ｂプレートの光軸と上記左眼用領域の第２＋Ｂプレートの光軸は、上記偏光子の光吸収軸と垂直を成すように形成されていることを特徴とする請求項１に記載の偏光メガネ。
【請求項４】
上記光学異方性層は、映像信号が入射する側から順次に配置された−Ｂプレート及び＋Ｃプレートから成り、上記左眼用領域の上記−Ｂプレートの光軸と上記右眼用領域の上記−Ｂプレートの光軸の二等分線は、上記偏光子の光吸収軸と垂直または水平を成すことを特徴とする請求項１に記載の偏光メガネ。
【請求項５】
上記光学異方性層は、映像信号が入射する側から順次に配置された−Ｃプレート及び＋Ｂプレートから成り、上記左眼用領域の上記＋Ｂプレートの光軸と上記右眼用領域の上記＋Ｂプレートの光軸の二等分線は、上記偏光子の光吸収軸と垂直または水平を成すことを特徴とする請求項１に記載の偏光メガネ。
【請求項６】
上記光学異方性層は、映像信号が入射する側から順次に配置された＋Ａプレート及び＋Ｂプレートから成り、上記左眼用領域の上記＋Ｂプレートの光軸と上記右眼用領域の上記＋Ｂプレートの光軸の二等分線は、上記偏光子の光吸収軸と垂直または水平を成し、上記左眼用領域の上記＋Ａプレートは、上記左眼用領域の上記＋Ｂプレートの光軸と水平方向に光軸を有し、上記右眼用領域の上記＋Ａプレートは、上記右眼用領域の上記＋Ｂプレートの光軸と水平方向に光軸を有することを特徴とする請求項１に記載の偏光メガネ。
【請求項７】
上記光学異方性層は、映像信号が入射する側から順次に配置された＋Ｂプレート及び＋Ａプレートから成り、上記左眼用領域の上記＋Ｂプレートの光軸と上記右眼用領域の上記＋Ｂプレートの光軸の二等分線は、上記偏光子の光吸収軸と垂直または水平を成し、上記左眼用領域の上記＋Ａプレートと上記右眼用領域の上記＋Ａプレートは、上記偏光子の光吸収軸と垂直を成す方向に光軸を有することを特徴とする請求項１に記載の偏光メガネ。
【請求項８】
上記光学異方性層は、映像信号が入射する側から順次に配置された−Ｃプレート、＋Ｂプレート及び＋Ａプレートから成り、上記左眼用領域の上記＋Ｂプレートの光軸と上記右眼用領域の上記＋Ｂプレートの光軸の二等分線は、上記偏光子の光吸収軸と垂直または水平を成し、上記左眼用領域の上記＋Ａプレートと上記右眼用領域の上記＋Ａプレートは、上記偏光子の光吸収軸と垂直を成す方向に光軸を有することを特徴とする請求項１に記載の偏光メガネ。
【請求項９】
上記光学異方性層は、映像信号が入射する側から順次に配置された第１＋Ａプレート、＋Ｂプレート及び第２＋Ａプレートから成り、上記左眼用領域の上記＋Ｂプレートの光軸と上記右眼用領域の上記＋Ｂプレートの光軸の二等分線は、上記偏光子の光吸収軸と垂直または水平を成し、上記左眼用領域の上記第１＋Ａプレートは、上記左眼用領域の上記＋Ｂプレートと同一の方向に光軸を有し、上記右眼用領域の上記第１＋Ａプレートは、上記右眼用領域の上記＋Ｂプレートと同一の方向に光軸を有し、上記左眼用領域の第２＋Ａプレートと上記右眼用領域の第２＋Ａプレートは、上記偏光子の光吸収軸と垂直を成す方向に光軸を有することを特徴とする請求項１に記載の偏光メガネ。
【請求項１０】
上記光学異方性層は、映像信号が入射する側から順次に配置された＋Ｂプレート、＋Ｃプレート及び＋Ａプレートから成り、上記左眼用領域の上記＋Ｂプレートの光軸と上記右眼用領域の上記＋Ｂプレートの光軸の二等分線は、上記偏光子の光吸収軸と垂直または水平を成し、上記左眼用領域の上記＋Ａプレートと上記右眼用領域の上記＋Ａプレートは、上記偏光子の光吸収軸と垂直方向に光軸を有することを特徴とする請求項１に記載の偏光メガネ。
【請求項１１】
上記光学異方性層は、映像信号が入射する側から順次に配置された第１＋Ａプレート、＋Ｃプレート及び第２＋Ａプレートから成り、上記左眼用領域の上記第１＋Ａプレートの光軸と上記右眼用領域の上記第１＋Ａプレートの光軸の二等分線は、上記偏光子の光吸収軸と垂直または水平を成し、上記左眼用領域の上記第２＋Ａプレート及び上記右眼用領域の上記第２＋Ａプレートは、上記偏光子の光吸収軸と垂直方向に光軸を有することを特徴とする請求項１に記載の偏光メガネ。
【請求項１２】
上記光学異方性層は、映像信号が入射する側から順次に配置された第１＋Ｃプレート、第１＋Ａプレート、第２＋Ｃプレート及び第２＋Ａプレートから成り、上記左眼用領域の上記第１＋Ａプレートの光軸と上記右眼用領域の上記第１＋Ａプレートの光軸の二等分線は、上記偏光子の光吸収軸と垂直または水平を成し、上記左眼用領域の上記第２＋Ａプレート及び上記右眼用領域の上記第２＋Ａプレートは、上記偏光子の光吸収軸と垂直方向に光軸を有することを特徴とする請求項１に記載の偏光メガネ。
【請求項１３】
映像信号は、左円偏光された光と右円偏光された光を含むことを特徴とする請求項１から１２の何れか１項に記載の偏光メガネ。
【請求項１４】
映像信号は、駆動状態で左眼用及び右眼用信号を生成し、観察者側に伝達することができ、順に配置された第１偏光板、映像生成素子及び第２偏光板を含む立体映像生成部；及び上記映像生成部で伝達された映像信号が入射すれば、上記左眼用及び右眼用信号が互いに異なる偏光状態を有するように調節し、観察者側に伝達することができる右眼用偏光調節領域及び左眼用信号偏光調節領域を含み、上記右眼用偏光調節領域及び左眼用信号偏光調節領域がいずれもλ／４波長層を含み、且つ上記右眼用偏光調節領域に存在するλ／４波長層の光軸と左眼用偏光調節領域に存在するλ／４波長層の光軸が互いに異なる偏光調節層を有する立体映像表示装置から出射されることを特徴とすることを特徴とする請求項１から１３の何れか１項に記載の偏光メガネ。
【請求項１５】
上記偏光メガネの上記左眼用領域と上記右眼用領域にそれぞれ配置される偏光子は、上記左眼用領域の中心と右眼用領域の中心を連結する仮想の線が第２偏光板の光吸収軸と水平を成すように上記偏光メガネを配置した状態で、上記第２偏光板の光吸収軸と垂直を成す方向に光吸収軸を有することを特徴とする請求項１４に記載の偏光メガネ。
【請求項１６】
駆動状態で右眼用信号及び左眼用信号を含む映像信号を生成し、生成された上記信号を観察者側に伝達することができる映像生成部；上記映像生成部で伝達された映像信号が入射すれば、上記右眼用信号及び左眼用信号が互いに異なる偏光状態を有するように調節し、観察者側に伝達することができる偏光調節素子；及び上記偏光調節素子から伝達された映像信号が入射すれば、上記信号を透過させて観察者側に伝達することができるように配置され、２つ以上の光学異方性フィルムを含み、下記式１で計算される数値が１２５ｎｍ〜４００ｎｍであり、下記式２で計算される数値が０．８３〜１．８３である光学異方性層を含む立体映像表示装置であって、
前記光学異方性層は、前記映像信号が入射する側から順次に配置された、第１＋Ｂプレートと第２＋Ｂプレート、−Ｂプレートと＋Ｃプレート、−Ｃプレートと＋Ｂプレート、＋Ａプレートと＋Ｂプレート、＋Ｂプレートと＋Ａプレート、−Ｃプレートと＋Ｂプレートと＋Ａプレート、第１＋Ａプレートと＋Ｂプレートと第２＋Ａプレート、＋Ｂプレートと＋Ｃプレートと＋Ａプレート、第１＋Ａプレートと＋Ｃプレートと第２＋Ａプレート、または、第１＋Ｃプレートと第１＋Ａプレートと第２＋Ｃプレートと第２＋Ａプレートから成り、
［式１］
ＤＸ−ＤＹ
［式２］
（Ｘ−Ｙ）／（Ｚ−Ｙ）
上記式１及び式２で、Ｘは、上記光学異方性層の面内における遅相軸方向の屈折率であり、Ｙは、上記光学異方性層の面内における進相軸方向の屈折率であり、Ｚは、上記光学異方性層の厚さ方向の屈折率であり、Ｄは、上記光学異方性層の厚さである、立体映像表示装置。
【発明の詳細な説明】
【技術分野】
【０００１】
本発明は、偏光メガネ及び立体映像表示装置に関する。
【背景技術】
【０００２】
立体映像を表示する方式としては、大きく、メガネ方式と無メガネ方式が知られていて、メガネ方式は、偏光メガネ方式とＬＣシャッターメガネ（ＬＣ  ｓｈｕｔｔｅｒ  ｇｌａｓｓ）方式とに分けられ、無メガネ方式は、２眼式／多視点両眼視差方式、体積型方式またはホログラフィック方式などに分けられる。
【０００３】
立体映像の観察時に問題となるいわゆるクロストーク（ｃｒｏｓｓｔａｌｋ）現象は、例えば、左眼に入射すべき左眼用信号が右眼に入射するか、右眼に入射すべき右眼用信号が左眼に入射して発生する。クロストークは、立体映像の品質を低下させ、また、視野角を減少させる。
【発明の概要】
【発明が解決しようとする課題】
【０００４】
本発明の目的は、偏光メガネ及び立体映像表示装置を提供することにある。
【課題を解決するための手段】
【０００５】
上記目的を達成するために、本発明の一態様によれば、映像信号が入射する左眼用領域と右眼用領域を含み、上記左眼用領域と右眼用領域は、１つ以上の光学異方性フィルムを含み、下記式１で計算される数値が５０ｎｍ〜５００ｎｍであり、下記式２で計算される数値が０．１〜３である光学異方性層；及び偏光子を含む偏光メガネを提供する。
【０００６】
［式１］
ＤＸ−ＤＹ
［式２］
（Ｘ−Ｙ）／（Ｚ−Ｙ）
【０００７】
上記式１及び式２で、Ｘは、上記光学異方性層の面内における遅相軸方向の屈折率であり、Ｙは、上記光学異方性層の面内における進相軸方向の屈折率であり、Ｚは、上記光学異方性層の厚さ方向の屈折率であり、Ｄは、上記光学異方性層の厚さである。
【０００８】
また、本発明の他の態様によれば、映像信号が入射する左眼用領域と右眼用領域を含み、上記左眼用領域と右眼用領域は、第１Ａプレートまたは第１Ｂプレートを含む光学異方性層；及び偏光子をそれぞれ含み、左眼用領域の第１Ａプレートまたは第１Ｂプレートの光軸と右眼用領域の第１Ａプレートまたは第１Ｂプレートの光軸の二等分線は、上記偏光子の光吸収軸と垂直または水平を成す偏光メガネを提供する。
【０００９】
また、本発明のさらに他の態様によれば、駆動状態で右眼用信号及び左眼用信号を含む映像信号を生成し、生成された上記信号を観察者側に伝達することができる映像生成部；上記映像生成部で伝達された映像信号が入射すれば、上記右眼用及び左眼用信号が互いに異なる偏光状態を有するように調節し、観察者側に伝達することができる偏光調節素子；及び上記偏光調節素子から伝達された映像信号が入射すれば、上記信号を透過させて観察者側に伝達することができるように配置され、１つ以上の光学異方性フィルムを含み、下記式１で計算される数値が５０ｎｍ〜５００ｎｍであり、下記式２で計算される数値が０．１〜３である光学異方性層を含む立体映像表示装置を提供する。
【００１０】
［式１］
ＤＸ−ＤＹ
［式２］
（Ｘ−Ｙ）／（Ｚ−Ｙ）
【００１１】
上記式１及び式２で、Ｘは、上記光学異方性層の面内における遅相軸方向の屈折率であり、Ｙは、上記光学異方性層の面内における進相軸方向の屈折率であり、Ｚは、上記光学異方性層の厚さ方向の屈折率であり、Ｄは、上記光学異方性層の厚さである。
【発明の効果】
【００１２】
本発明の１つの例示によれば、上記偏光メガネ及び立体映像表示装置を使用すれば、立体映像の観察時に輝度などを犠牲させることなく、クロストークなどの発生を防止し、優れた品質の立体映像を広い視野角で観察することができる。
【図面の簡単な説明】
【００１３】
【図１】例示的な立体映像表示装置を示す断面図である。
【図２】立体映像表示装置において右眼用及び左眼用信号生成領域の配置を例示的に示す図である。
【図３】立体映像表示装置において右眼用及び左眼用信号生成領域の配置を例示的に示す図である。
【図４】偏光調節層の右眼用及び左眼用信号偏光調節領域の配置を例示的に示す図である。
【図５】偏光調節層の右眼用及び左眼用信号偏光調節領域の配置を例示的に示す図である。
【図６】上記偏光メガネを例示的に示す図である。．
【図７】光軸の二等分線を説明するための例示的な図である。
【図８】上記偏光メガネを例示的に示す図である。．
【図９】例示的な上記立体映像表示装置を示す図である。
【図１０】実施例及び比較例の視野角特性の評価結果を説明する図である。
【図１１】実施例及び比較例の視野角特性の評価結果を説明する図である。
【図１２】実施例及び比較例の視野角特性の評価結果を説明する図である。
【図１３】実施例及び比較例の視野角特性の評価結果を説明する図である。
【図１４】実施例及び比較例の視野角特性の評価結果を説明する図である。
【図１５】実施例及び比較例の視野角特性の評価結果を説明する図である。
【図１６】実施例及び比較例の視野角特性の評価結果を説明する図である。
【図１７】実施例及び比較例の視野角特性の評価結果を説明する図である。
【図１８】実施例及び比較例の視野角特性の評価結果を説明する図である。
【図１９】実施例及び比較例の視野角特性の評価結果を説明する図である。
【図２０】実施例及び比較例の視野角特性の評価結果を説明する図である。
【発明を実施するための形態】
【００１４】
本発明は、映像信号が入射する左眼用領域と右眼用領域を含み、上記左眼用領域と右眼用領域は、１つ以上の光学異方性フィルムを含み、下記式１で計算される数値が５０ｎｍ〜５００ｎｍであり、下記式２で計算される数値が０．１〜３である光学異方性層；及び偏光子をそれぞれ含む偏光メガネに関する。
【００１５】
［式１］
ＤＸ−ＤＹ
［式２］
（Ｘ−Ｙ）／（Ｚ−Ｙ）
【００１６】
上記式１及び式２で、Ｘは、上記光学異方性層の面内における遅相軸(slow axis)方向の屈折率であり、Ｙは、上記光学異方性層の面内における進相軸(fast axis)方向の屈折率であり、Ｚは、上記光学異方性層の厚さ方向の屈折率であり、Ｄは、上記光学異方性層の厚さである。
【００１７】
以下、上記偏光メガネを詳しく説明する。
本明細書において角度を定義しながら使用する、垂直、水平、直交または平行などの用語は、目的する効果を損傷させない範囲での実質的な垂直、水平、直交、または平行を意味し、例えば、製造誤差（ｅｒｒｏｒ）または変動（ｖａｒｉａｔｉｏｎ）などを勘案した誤差を含むことができる。例えば、上記それぞれの用語は、約±２０度以内の誤差、好ましくは、約±１５度以内の誤差、より好ましくは、約±１０度以内の誤差、さらに好ましくは、約±５度以内の誤差を含むことができる。
【００１８】
また、本明細書において符号Ｘ、Ｙ、Ｚ及びＤは、それぞれ光学異方性層または光学異方性フィルムの面内における遅相軸方向の屈折率、面内における進相軸方向の屈折率、厚さ方向の屈折率及び厚さを意味する。上記でそれぞれの屈折率は、５５０ｎｍの波長を有する光に対して測定された屈折率であることができる。
【００１９】
また、本明細書において面方向の位相差Ｒｉｎは、下記式３で計算される光学異方性層または光学異方性フィルムの物性を意味し、厚さ方向の位相差Ｒｔｈは、下記式４で計算される光学異方性層または光学異方性フィルムの物性を意味する。
【００２０】
［式３］
Ｒｉｎ＝（Ｘ−Ｙ）×Ｄ
［式４］
Ｒｔｈ＝（Ｚ−Ｙ）×Ｄ
【００２１】
１つの例示において上記偏光メガネは、立体映像を観察するための偏光メガネであることができ、例えば、互いに垂直な方向に偏光軸を有するように直線偏光された右眼用信号及び左眼用信号を含む立体映像または左円偏光された光と右円偏光された光を含む立体映像を観察するための偏光メガネであることができる。
【００２２】
以下、説明の便宜のために、上記偏光メガネを使用して観察することができる立体映像を表示する立体映像表示装置についてまず説明する。
【００２３】
例示的な立体映像表示装置は、駆動状態で右眼用信号及び左眼用信号を含む映像信号を生成し、生成された上記信号を観察者側に伝達することができる映像生成部；及び上記映像生成部で伝達された映像信号が入射すれば、上記右眼用及び左眼用信号が互いに異なる偏光状態を有するように調節し、観察者側に伝達することができる偏光調節素子を含むことができる。
【００２４】
本明細書において上記駆動状態という用語は、立体映像表示装置が立体映像を表示している状態を意味する。
【００２５】
図１は、上記例示的な立体映像表示装置１を示す図である。
上記装置１は、観察者方向に順次に配置されている光源１１、映像生成部及び偏光調節素子１５を含むことができる。上記映像生成部は、第１偏光板１２、映像生成素子１３及び第２偏光板１４を含むことができる。
【００２６】
１つの例示において観察者は、上記偏光メガネを着用し、上記装置で伝達される立体映像を観察することができる。
【００２７】
図１の装置１において光源１１は、駆動状態で偏光されない状態の白色の光を第１偏光板１２に向けて出射することができる。光源１１としては、例えば、液晶表示装置などとして通常的に使用される直下型（Ｄｉｒｅｃｔ  ｔｙｐｅ）またはエッジ型（ｅＤｇｅ  ｔｙｐｅ）バックライトユニット（ＢＬＵ；Ｂａｃｋ  Ｌｉｇｈｔ  Ｕｎｉｔ）などを使用することができる。
【００２８】
映像生成部は、映像生成素子１３及びその両側に配置された第１及び第２偏光板１２、１４を含むことができる。第１偏光板１２は、光透過軸及び上記光透過軸に直交する光吸収軸を有することができ、光源１１から出射した光が入射すれば、光透過軸方向と平行な偏光軸を有する光だけを透過させる。上記で偏光軸の方向は、光で電界の振動方向である。
【００２９】
映像生成素子１３は、例えば、左眼用または右眼用信号を生成することができる単一または複数の画素が行及び／または列方向に配列された透過型液晶表示パネルであることができる。このような表示パネルは、信号によって各画素を駆動することによって、左眼用及び右眼用信号を含む映像信号を生成し、生成された映像信号を第２偏光板１４に伝達することができる。透過型液晶表示パネルの場合、例えば、光源側１１から順次に配置された基板、画素電極、第１配向膜、液晶層、第２配向膜、共通電極、カラーフィルタ及び基板を含むことができる。上記表示パネルは、右眼用信号を生成する右眼用信号生成領域ＳＲと左眼用信号を生成する左眼用信号生成領域ＳＬを含むことができる。右眼用及び左眼用信号生成領域ＳＲ、ＳＬは、単位画素または２個以上の画素が組み合わされて形成されることができる。左眼用及び右眼用信号生成領域ＳＬ、ＳＲは、例えば、図２に示されたように、それぞれ共通方向に延長するストライプ状を成しながら互いに交互に配置されるか、または図３に示されたように、格子パターンを成しながら互いに交互に配置されていてもよい。
【００３０】
立体映像表示装置の駆動状態で右眼用及び左眼用信号生成領域では、それぞれ右眼用信号と左眼用信号を生成し、これを観察者側に伝達することができる。例えば、図１の装置１を駆動させれば、光源１１で出射した光は、第１偏光板１２を透過して映像生成素子１３に入射する。映像生成素子１３に入射し、右眼用信号生成領域ＳＲを透過した光は、右眼用信号となり、左眼用信号生成領域ＳＬを透過した光は、左眼用信号となることができる。
【００３１】
第２偏光板１４は、上記右眼用及び左眼用信号が入射すれば、偏光板１４の透過軸に平行な光のみを透過させる。１つの例示において第１及び第２偏光板１２、１４の透過軸は、互いに９０度の角度を成すように配置されていてもよい。
【００３２】
偏光調節素子１５は、右眼用信号偏光調節領域ＰＲ（以下、右眼用領域ということがある）と左眼用信号偏光調節領域ＰＬ（以下、左眼用領域ということがある）を含むことができる。右眼用領域ＰＲは、右眼用信号生成領域ＳＲで生成されて伝達される右眼用信号が入射することができるように配置されていて、左眼用領域ＰＬは、左眼用信号生成領域ＳＬで生成されて伝達される左眼用信号が入射することができるように配置されることができる。例えば、映像生成素子１３の右眼用及び左眼用信号生成領域が図２のように配置されれば、上記右眼用及び左眼用領域ＰＲ、ＰＬは、これに準じて図４のような形態に配置されることができ、上記信号生成領域ＳＲ、ＳＬが図３のように配置されれば、上記右眼用及び左眼用領域ＰＲ、ＰＬは、図５のような形態に配置されることができるが、これに限定されるものではない。
【００３３】
偏光調節素子１５を透過した右眼用及び左眼用信号は、互いに異なる偏光状態を有することができる。１つの例示において偏光調節素子１５を透過した後の上記右眼用及び左眼用信号は、実質的に互いに垂直な方向を有するように直線偏光されている光であるか、またはそれぞれ左円偏光された光と右円偏光された光であることができる。
【００３４】
右眼用及び左眼用信号が左円または右円偏光された光である場合、右眼用及び左眼用領域ＰＲ、ＰＬのうち１つの領域は、入射する光を左円偏光された光に変換させることができる領域であり、他の領域は、右円偏光された光に変換して透過させることができる領域であることができる。このような場合に、偏光調節素子の右眼用及び左眼用領域は、いずれもλ／４波長層を含み、且つ上記右眼用及び左眼用領域のλ／４波長層は、互いに異なる光軸を有することができる。本明細書において用語「λ／４波長層」は、入射する光をその波長の１／４だけ位相遅延させることができる位相遅延素子を意味することができる。また、本明細書において光軸というのは、入射する光が当該領域を透過するときの進相軸または遅相軸を意味し、好ましくは、遅相軸を意味することができる。１つの例示において、上記右眼用及び左眼用領域に存在するλ／４波長層が互いに異なる光軸を有する場合、上記それぞれの光軸は、互いに垂直を成す方向に形成されていてもよい。他の例示においては、上記右眼用及び左眼用領域ＰＲ、ＰＬは、右眼用及び左眼用領域のうちいずれか一方の領域に存在する３λ／４波長層及び上記右眼用及び左眼用領域の他方の領域に存在するλ／４波長層を含むこともできる。上記で３λ／４波長層は、入射する光をその波長の３／４だけ位相遅延させることができる位相遅延素子を意味することができ、例えば、入射する光をその波長の１／２だけ位相遅延させることができるλ／２波長層とλ／４波長層を積層させて構成することができる。
【００３５】
また、偏光調節素子を通過した信号が実質的に互いに垂直な方向を有するように直線偏光された光である場合、上記偏光調節素子は、左眼用または右眼用領域に対応する部分にのみ形成されたλ／２波長層を含むことができる。上記λ／２波長層は、前述したように入射する光をその波長の１／２だけ位相遅延させることができる位相遅延素子を意味することができる。具体的に右眼用及び左眼用領域のうちいずれか一方の領域は、入射する光の偏光軸を回転させることなく、そのまま透過させる領域であり、他方の領域は、入射する光の偏光軸を上記偏光軸が回転しない光の偏光軸と直交する方向に回転させて透過させることができる領域であることができる。これにより、右眼用及び左眼用領域を透過した光の偏光軸は、互いに直交する方向を有するようになる。このような場合、右眼用及び左眼用領域のうちいずれか一方の領域には、ガラスまたは透明樹脂などが存在し、他方の領域には、入射光の偏光軸を上記ガラスまたは透明樹脂を透過した光と垂直を成すように回転させることができるように光軸が形成された上記λ／２波長層が存在することができる。
【００３６】
１つの例示において上記偏光メガネは、上記のような立体映像表示装置で出射される映像信号を観察することができるメガネであることができ、好ましくは、上記装置で出射されるものであって、左円偏光された光と右円偏光された光を含む映像信号を観察する偏光メガネであることができる。上記左円偏光された光と右円偏光された光を含む映像信号を出射する立体映像表示装置は、偏光調節素子として右眼用領域及び左眼用領域ＰＲ、ＰＬにいずれもλ／４波長層を含み、かつ右眼用領域の波長層の光軸と左眼用領域の波長層の光軸が互いに異なる偏光調節素子を含むものであるか、あるいは、右眼用領域と左眼用領域のうちいずれか一方の領域には、３λ／４波長層を含み、他方の領域には、λ／４波長層を含む偏光調節素子を含む装置であることができ、好ましくは、右眼用領域及び左眼用領域ＰＲ、ＰＬにいずれもλ／４波長層を含み、且つ右眼用領域の波長層の光軸と左眼用領域の波長層の光軸が互いに異なる偏光調節素子を含む装置であることができる。
【００３７】
上記偏光メガネは、観察者が上記メガネを着用すれば、観察者の左眼の前に位置する左眼用領域と観察者の右眼の前に位置する右眼用領域を含む。例えば、立体映像の観察時には、上記左眼用領域には、左眼用信号が入射し、右眼用領域には、右眼用信号が入射することができる。上記偏光メガネにおいて上記光学異方性層と偏光子は、例えば、映像信号が上記光学異方性層をまず透過した後に、さらに偏光子を透過し、観察者の左眼または右眼に入射するように配置されることが好ましい。図６は、１つの例示的な上記偏光メガネ６を上部から見た場合を示し、上記偏光メガネにおいて左眼用領域は、光学異方性層６１Ｌ及び偏光子６２Ｌを含み、右眼用領域も光学異方性層６１Ｒ及び偏光子６２Ｒを含んでいる。図６に表示された矢印は、例えば、立体映像表示装置から伝達される映像信号の方向を示す。
【００３８】
上記偏光メガネの右眼用領域と左眼用領域は、それぞれ上記式１で計算される数値が５０ｎｍ〜５００ｎｍであり、上記式２で計算される数値が０．１〜３である光学異方性層を偏光子とともに含む。上記式１で計算される数値は、光学異方性層の面方向の位相差Ｒｉｎであり、式２で計算される数値は、光学異方性層の面方向の位相差Ｒｉｎと厚さ方向の位相差Ｒｔｈの比率Ｒｉｎ／Ｒｔｈである。上記光学異方性層において式１で計算される数値は、好ましくは、５０ｎｍ〜４５０ｎｍ、さらに好ましくは、５０ｎｍ〜４００ｎｍ、より好ましくは、１００ｎｍ〜４００ｎｍであることができる。また、上記光学異方性層において式２で計算される数値は、０．５〜２．５、さらに好ましくは、０．５〜２であることができる。
【００３９】
上記式１及び式２で、Ｘは、上記光学異方性層の面内における遅相軸方向の屈折率、より具体的には、５５０ｎｍの波長に対して測定された面内における遅相軸方向の屈折率であり、Ｙは、上記光学異方性層の面内における進相軸方向の屈折率、より具体的には、５５０ｎｍの波長に対して測定された面内における進相軸方向の屈折率であり、Ｚは、上記光学異方性層の厚さ方向の屈折率、より具体的には、５５０ｎｍの波長に対して測定された厚さ方向の屈折率であり、Ｄは、上記光学異方性層の厚さである。
【００４０】
上記で光学異方性層の式１で計算される数値が５０ｎｍ以上であり、５００ｎｍ以下である場合、上記偏光メガネを使用して、優れた品質の立体映像の観察が可能である。また、上記式２で計算される数値が０．１以上であり、３以下であるとき、上記偏光メガネを使用して優れた品質の立体映像の観察が可能である。
【００４１】
上記で左眼用領域の光学異方性フィルムの光軸と右眼用領域の光学異方性フィルムの光軸は、互いに異なる方向に形成されていることが好ましい。また、左眼用領域に配置された光学異方性フィルムの光軸と右眼用領域に配置された光学異方性フィルムの光軸の二等分線は、上記偏光メガネの偏光子の光吸収軸と垂直または水平を成すことが好ましい。また、上記で左眼用領域の光学異方性フィルムの光軸と右眼用領域の光学異方性フィルムの光軸が成す角度は、垂直であることができる。このような関係から、さらに優れた品質の立体映像を観察することができる。本明細書において「光軸と光軸の二等分線」は、異なる方向に形成されている２個の光軸が成す角度を二等分している線であって、例えば、図７を参照すれば、上記偏光メガネの右眼用領域ＧＲに存在する光学異方性層に形成されている光軸ＡＲと左眼用領域ＧＬに存在する光学異方性層に形成されている光軸ＡＬが成す角度は、β度または（３６０−β）度であり、図７で、β１とβ２が同一の角度なら、上記光軸ＡＬ、ＡＲの二等分線は、点線で表示された線８０であるか、あるいは、その点線で表示された線８０と垂直な方向に形成された線であることができる。
【００４２】
上記で左眼用及び右眼用領域が、後述するように、２個以上の光学異方性フィルムを含む場合、左眼用領域に含まれる光学異方性フィルムのうち少なくとも１つのフィルムと右眼用領域に含まれる光学異方性フィルムのうち少なくとも１つのフィルムが上記関係を満足すればよい。このような場合、他のフィルムは、同一領域に含まれる上記フィルムと同一の方向に光軸を有するか、または上記偏光メガネの偏光子の光吸収軸と垂直した方向に光軸を有することができる。
【００４３】
光学異方性層は、上記式１及び式２で計算される数値を満たす限り、１つまたは２つ以上の光学異方性フィルムを使用して構成することができる。
【００４４】
１つの光学異方性フィルムが使用される場合、そのフィルムのＸ、Ｙ、Ｚ及びＤが全体光学異方性層のＸ、Ｙ、Ｚ及びＤであることができる。
【００４５】
また、２以上の光学異方性フィルムを使用して光学異方性層を形成する場合、式１及び式２に適用される全体的な光学異方性層のＸ、Ｙ、Ｚ及びＤは、それぞれのフィルムのＸ、Ｙ、Ｚ及びＤの数値を合算した数値である。例えば、遅相軸方向の屈折率がＸ１であり、進相軸方向の屈折率がＹ１であり、厚さ方向の屈折率がＺ１であり、厚さがＤ１である光学異方性フィルムと遅相軸方向の屈折率がＸ２であり、進相軸方向の屈折率がＹ２であり、厚さ方向の屈折率がＺ２であり、厚さがＤ２である光学異方性フィルムとを組み合わせる場合、上記式１及び式２に導入されるＸ、Ｙ、Ｚ及びＤは、それぞれ（Ｘ１＋Ｘ２）、（Ｙ１＋Ｙ２）、（Ｚ１＋Ｚ２）及び（Ｄ１＋Ｄ２）である。
【００４６】
また、１つまたは複数の光学異方性フィルムを含む全体の光学異方性層に対して５５０ｎｍの波長に対する面方向の位相差Ｒｉｎと厚さ方向の位相差Ｒｔｈをそれぞれ測定し、測定された面方向の位相差を式１の結果とし、面方向の位相差と厚さ方向の位相差の比率Ｒｉｎ／Ｒｔｈを式２の結果として算出することができる。また、複数の光学異方性フィルムが光学異方性層を構成する場合、それぞれのフィルムの面方向の位相差及び厚さ方向の位相差の値を合算し、式１及び式２の結果にしてもよい。例えば、面方向の位相差がＩ１であり、厚さ方向の位相差がＴ１である光学異方性フィルムと面方向の位相差がＩ２であり、厚さ方向の位相差がＴ２である光学異方性フィルムを使用する場合、全体的な光学異方性層の面方向の位相差は、Ｉ１＋Ｉ２であり、厚さ方向の位相差は、Ｔ１＋Ｔ２として計算されることができる。したがって、この場合、上記式１で計算される数値は、Ｉ１＋Ｉ２であり、式２で計算される数値は、（Ｉ１＋Ｉ２）／（Ｔ１＋Ｔ２）であることができる。
【００４７】
１つの例示において、上記光学異方性層は、Ａプレート、Ｂプレート及びＣプレートよりなる群から選択された１つ以上を含むことができる。
【００４８】
本明細書においてＡプレートは、面内における遅相軸方向の屈折率Ｘ、進相軸方向の屈折率Ｙ及び厚さ方向の屈折率Ｚが「Ｘ≠Ｙ＝Ｚ」の関係を満たす光学異方性フィルムを意味し、上記でＸがＹより大きい場合は、さらに＋Ａプレートとして定義され、反対にＸがＹより小さい場合は、さらに−Ａプレートとして定義されることができる。また、本明細書においてＢプレートは、面内における遅相軸方向の屈折率Ｘ、進相軸方向の屈折率Ｙ及び厚さ方向の屈折率Ｚが「Ｘ≠Ｙ≠Ｚ」の関係を満たす光学異方性フィルムを意味し、上記でＺがＹより大きい場合は、さらに＋Ｂプレートとして定義され、反対にＺがＹより小さい場合は、さらに−Ｂプレートとして定義されることができる。また、本明細書においてＣプレートは、面内における遅相軸方向の屈折率Ｘ、進相軸方向の屈折率Ｙ及び厚さ方向の屈折率Ｚが「Ｘ＝Ｙ≠Ｚ」の関係を満たす光学異方性フィルムを意味し、上記でＺがＹより大きい場合は、さらに＋Ｃプレートとして定義され、反対にＺがＹより小さい場合は、さらに−Ｃプレートとして定義されることができる。
【００４９】
上記のようなＡ、Ｂ及びＣプレートの具体的な素材は、光学異方性フィルムを形成するための多様な公知の素材がすべて使用されることができる。１つの例示において上記位相差フィルムは、液晶フィルムであるか、またはポリアクリレート、ポリカーボネートまたはＣＯＰ（ｃｙｃｌｉｃ  ｏｌｅｆｉｎ  ｐｏｌｙｍｅｒ）などの高分子フィルムであることができ、上記高分子フィルムの場合、一軸または二軸延伸などの方式を通じて各位相差特性が制御されたフィルムであることができる。
【００５０】
本発明は、また、映像信号が入射する左眼用領域と右眼用領域を含み、上記左眼用領域と右眼用領域は、第１Ａプレートまたは第１Ｂプレートを含む光学異方性層；及び偏光子をそれぞれ含み、左眼用領域の第１Ａプレートまたは第１Ｂプレートの光軸と右眼用領域の第１Ａプレートまたは第１Ｂプレートの光軸の二等分線は、上記偏光子の光吸収軸と垂直または水平を成す偏光メガネに関するものである。
【００５１】
上記偏光メガネにおいて光学異方性層は、第２Ａプレート、第２Ｂプレート及びＣプレートよりなる群から選択された１つ以上をさらに含み、左眼用領域の第２Ａプレートまたは第２Ｂプレートの光軸は、左眼用領域の上記第１Ａプレートまたは第１Ｂプレートの光軸と水平を成し、右眼用領域の上記第２Ａプレートまたは第２Ｂプレートの光軸は、右眼用領域の第１Ａプレートまたは第１Ｂプレートの光軸と水平を成すか、または左眼用領域の第２Ａプレートまたは第２Ｂプレートと右眼用領域の第２Ａプレートまたは第２Ｂプレートは、偏光子の光吸収軸と垂直な方向に光軸を有することができる。
【００５２】
以下、本明細書において上記記述した式１及び式２で計算される数値として特定の数値を有する光学異方性層を有する偏光メガネを第１偏光メガネと称し、上記第１Ａプレートまたは第１Ｂプレートを含む光学異方性層を有する偏光メガネを第２偏光メガネと称することができる。
【００５３】
本明細書においては、発明の目的を阻害しない範囲で偏光メガネに関する説明は、上記第１及び第２偏光メガネに互いに同一に適用されることができる。例えば、上記第２偏光メガネのＡプレートまたはＢプレートは、上記第１偏光メガネの光学異方性層に含まれる光学異方性フィルムであることができる。
【００５４】
また、上記第２偏光メガネの光学異方性層も、上記式１で計算される数値が５０ｎｍ〜５００ｎｍであり、上記式２で計算される数値が０．１〜３であることが好ましい。
【００５５】
好ましくは、上記第１または第２偏光メガネの左眼用及び右眼用領域の光学異方性層は、それぞれ少なくともＢプレートまたはＡプレートを含み、上記ＢプレートまたはＡプレートは、左眼用領域のプレートの光軸と右眼用領域のプレートの光軸が互いに異なる方向を成すこと、好ましくは、その二等分線が偏光メガネの偏光子の光吸収軸と垂直または水平を成すことが好ましく、この場合、左眼用領域のプレートの光軸と右眼用領域のプレートの光軸が互いに垂直を成すことが好ましい。
【００５６】
１つの例示において、上記第１または第２偏光メガネの光学異方性層は、Ｂプレートを含むもの（以下、第１類型と言える）であるか、またはＡプレートとＣプレートを含むもの（以下、第２類型と言える）であってもよい。
【００５７】
上記第１類型において左眼用領域に配置されたＢプレートのうち少なくとも１つのＢプレートの光軸と右眼用領域に配置されるＢプレートのうち少なくとも１つのＢプレートの光軸が互いに異なる方向を成すこと、好ましくは、その二等分線が偏光メガネの偏光子の光吸収軸と垂直または水平を成すことが好ましく、このような状態で左眼用領域のＢプレートの光軸と右眼用領域のＢプレートの光軸が互いに垂直を成すことが好ましい。
【００５８】
また、上記第１類型の場合、光学異方性層がＡプレート及び／またはＣプレートをさらに含むことができる。このような場合、例えば、Ａプレートをさらに含む場合、左眼用領域のＡプレートのうち少なくとも１つのプレートの光軸は、左眼用領域の上記Ｂプレートの光軸と水平を成し、右眼用領域のＡプレートのうち少なくとも１つのプレートの光軸は、右眼用領域の上記Ｂプレートの光軸と水平を成すか、または左眼用領域のＡプレートのうち少なくとも１つのプレートと右眼用領域のＡプレートのうち少なくとも１つのプレートは、互いに同一の方向に形成された光軸を有し、その光軸が成す同一の方向が上記偏光子の光吸収軸と垂直であることが好ましい。
【００５９】
また、第２類型において左眼用領域のＡプレートのうち少なくとも１つのプレートの光軸と右眼用領域のＡプレートのうち少なくとも１つのプレートの光軸が互いに異なる方向を成すこと、好ましくは、その二等分線が偏光メガネの偏光子の光吸収軸と垂直または水平を成すことが好ましく、上記の場合、左眼用領域のプレートの光軸と右眼用領域のプレートの光軸は、垂直を成すことができる。
【００６０】
上記第１または第２偏光メガネにおいて特定の種類の光学異方性層を互いに組み合わせ、また、その光学異方性層の光軸の関係及び上記光学異方性層の光軸と上記偏光子の光吸収軸との関係を調節し、さらに優れた品質の立体映像の観察が可能である。
【００６１】
例えば、上記第１類型の光学異方性層は、映像信号が入射する側から順次に配置された第１＋Ｂプレート及び第２＋Ｂプレートを含むことができる。上記で、左眼用領域の第１＋Ｂプレートと右眼用領域の第１＋Ｂプレートは、互いに異なる方向に光軸を有することが好ましい。好ましくは、上記異なる方向に光軸を有する左眼用及び右眼用領域の第１＋Ｂプレートの光軸の二等分線は、上記偏光メガネの偏光子の光吸収軸と垂直または水平を成すことが好ましい。このような関係から、上記異なる方向に光軸を有する左眼用及び右眼用領域の＋Ｂプレートの光軸が成す角度は、垂直であることができる。また、上記類型において左眼用領域と右眼用領域の第２＋Ｂプレートは、互いに同一の方向に形成された光軸を有すると共に、その光軸の方向は、上記偏光メガネの偏光子の光吸収軸と垂直を成すことが好ましい。
【００６２】
また、上記第１類型の光学異方性層は、例えば、映像信号が入射する側から順次に配置された−Ｂプレート及び＋Ｃプレートを含むことができる。このような場合、左眼用領域の−Ｂプレートの光軸と右眼用領域の−Ｂプレートの光軸は、互いに異なる方向に形成されていることが好ましい。好ましくは、異なる方向に光軸を有する左眼用及び右眼用領域の−Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の−Ｂプレートの光軸が成す角度は、垂直であることができる。
【００６３】
他の例示において上記第１類型の光学異方性層は、例えば、映像信号が入射する側から順次に配置された−Ｃプレート及び＋Ｂプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることができる。
【００６４】
他の例示において上記第１類型の光学異方性層は、例えば、映像信号が入射する側から順次に配置された＋Ａプレート及び＋Ｂプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることが好ましい。また、上記で左眼用領域に付着した＋Ａプレートは、上記左眼用領域に付着した＋Ｂプレートの光軸と水平方向に光軸を有し、右眼用領域に付着した＋Ａプレートは、上記右眼用領域に付着した＋Ｂプレートの光軸と水平方向に光軸を有することが好ましい。
【００６５】
他の例示において上記第１類型の光学異方性層は、例えば、映像信号が入射する側から順次に配置された＋Ｂプレート及び＋Ａプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることが好ましい。また、上記で左眼用領域の＋Ａプレートと右眼用領域の＋Ａプレートは、互いに同一の方向に光軸を有し、その光軸の方向は、上記偏光子の光吸収軸と垂直を成すことが好ましい。
【００６６】
他の例示において上記第１類型の光学異方性層は、例えば、映像信号が入射する側から順次に配置された−Ｃプレート、＋Ｂプレート及び＋Ａプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることが好ましい。また、上記で左眼用領域の＋Ａプレートと右眼用領域の＋Ａプレートは、互いに同一の方向に光軸を有し、その光軸の方向は、上記偏光子の光吸収軸と垂直を成すことが好ましい。
【００６７】
他の例示において上記第１類型の光学異方性層は、例えば、映像信号が入射する側から順次に配置された第１＋Ａプレート、＋Ｂプレート及び第２＋Ａプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸の二等分線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることが好ましい。また、上記で左眼用領域の第１＋Ａプレートは、左眼用領域の＋Ｂプレートと同一の方向に光軸を有し、右眼用領域の第１＋Ａプレートは、右眼用領域の＋Ｂプレートと同一の方向に光軸を有することが好ましい。また、左眼用領域の第２＋Ａプレートと右眼用領域の第２＋Ａプレートは、互いに同一の方向に光軸を有し、その光軸の方向は、上記偏光子の光吸収軸と垂直を成すことが好ましい。
【００６８】
他の例示において上記第１類型の光学異方性層は、例えば、映像信号が入射する側から順次に配置された＋Ｂプレート、＋Ｃプレート及び＋Ａプレートを含むことができる。このような場合、左眼用領域の＋Ｂプレートの光軸と右眼用領域の＋Ｂプレートの光軸は、互いに異なる方向に形成されていることが好ましい。好ましくは、上記異なる方向に光軸を有する左眼用及び右眼用領域の＋Ｂプレートの光軸が成す角度を二等分する線は、上記偏光メガネの偏光子の光吸収軸と垂直または水平を成すことが好ましく、このような関係から、上記異なる方向に光軸を有する左眼用及び右眼用領域の＋Ｂプレートの光軸が成す角度は、垂直であることが好ましい。また、上記で左眼用領域の＋Ａプレートと右眼用領域の＋Ａプレートは、互いに同一の方向に光軸を有し、その光軸の方向は、上記偏光子の光吸収軸と垂直を成すことが好ましい。
【００６９】
また、上記第２類型の光学異方性層は、例えば、映像信号が入射する側から順次に配置された第１＋Ａプレート、＋Ｃプレート及び第２＋Ａプレートを含むか、または映像信号が入射する側から順次に配置された第１＋Ｃプレート、第１＋Ａプレート、第２＋Ｃプレート及び第２＋Ａプレートを含むことができる。このような場合、左眼用領域の第１＋Ａプレートと右眼用領域の第１＋Ａプレートは、互いに異なる方向に光軸を有することが好ましい。好ましくは、上記異なる方向に光軸を有する左眼用及び右眼用領域の第１＋Ａプレートの光軸が成す角度を二等分する線は、上記偏光メガネの偏光子の光吸収軸と垂直または水平を成すことが好ましい。このような関係から、上記異なる方向に光軸を有する左眼用及び右眼用領域の第１＋Ａプレートの光軸が成す角度は、垂直であることが好ましい。また、上記で左眼用領域の第２＋Ａプレートと右眼用領域の第２＋Ａプレートは、互いに同一の方向に光軸を有し、その光軸の方向は、上記偏光子の光吸収軸と垂直を成すことが好ましい。
【００７０】
以上の光学異方性層の組合とその光軸の配置は、上記第１または第２偏光メガネを通じて立体映像、特に左円偏光された光と右円偏光された光を含む立体映像信号を観察する用途に好ましい。１つの例示において上記立体映像信号は、前述した例示的な装置であって、駆動状態で左眼用及び右眼用信号を生成して観察者側に伝達することができ、順に配置された第１偏光板、映像生成素子及び第２偏光板を含む立体映像生成部；及び上記映像生成部で伝達された映像信号が入射すれば、上記右眼用及び左眼用信号が互いに異なる偏光状態を有するように調節し、観察者側に伝達することができる右眼用及び左眼用信号偏光調節領域を含み、上記右眼用及び左眼用偏光調節領域がいずりもλ／４波長層を含み、且つ上記右眼用偏光調節領域に存在するλ／４波長層の光軸と左眼用偏光調節領域に存在するλ／４波長層の光軸が互いに異なる偏光調節層を有する立体映像表示装置から出射されるものであることができる。
【００７１】
上記で、λ／４波長層は、例えば、５５０ｎｍの波長の光に対して１１０ｎｍ〜１５０ｎｍの範囲の位相差値を示す波長層であることができる。
【００７２】
上記偏光メガネに含まれる偏光子の種類は、特に限定されず、例えば、上記言及した立体映像表示装置の偏光板に使用される偏光子と同一の類型の偏光子を使用することができる。
【００７３】
１つの例示において、上記偏光メガネの左眼用領域と右眼用領域にそれぞれ配置される偏光子は、互いに同一の方向に形成された光吸収軸を有することが好ましい。また、１つの例示において上記偏光メガネの左眼用領域の中心と右眼用領域の中心を連結する仮想の線が上記立体映像表示装置に含まれる第２偏光板の光吸収軸と水平を成すように上記偏光メガネを配置した状態で、上記同一の方向に形成された左眼用及び右眼用領域の偏光子の光吸収軸の方向は、上記第２偏光板の光吸収軸と垂直を成すことが好ましい。本明細書において偏光メガネの左眼用領域の中心と右眼用領域の中心を連結する線は、例えば、図８に示されたように、左眼用及び右眼用領域ＧＲ、ＧＬの中央部Ｃを連結する仮想の線ＣＬを意味し、上記で領域の中心または中央部は、重さ中心（ｃｅｎｔｅｒ  ｏｆ  ｇｒａｖｉｔｙ）を意味する。
【００７４】
上記状態に配置された左眼用及び右眼用領域の偏光子は、前述した光学異方性層と組み合わせられ、立体映像をさらに優れた品質で観察することができるようにする。
【００７５】
また、上記偏光メガネを左円偏光された光及び右円偏光された光を含む映像信号を観察するのに使用する場合、特に互いに異なる方向に光軸が形成されたλ／４波長層を含む上記偏光調節素子を含む装置から出射される上記映像信号を観察するのに使用する場合、上記偏光メガネの左眼用領域と右眼用領域は、それぞれλ／４波長層をさらに含むことができる。１つの例示において上記さらに含まれるλ／４波長層は、上記光学異方性層と上記偏光子との間に配置されることができる。このような構造では、上記偏光メガネの左眼用領域の中心と右眼用領域の中心を連結する仮想の線が上記立体映像表示装置の第２偏光板の光吸収軸と水平方向になるように上記偏光メガネを配置した場合、上記偏光メガネの左眼用領域に含まれるλ／４波長層の光軸は、上記偏光調節素子の左眼用信号偏光調節領域のλ／４波長層の光軸に水平な方向に形成され、偏光メガネの右眼用領域に含まれるλ／４波長層の光軸は、上記偏光調節素子の右眼用信号偏光調節領域のλ／４波長層の光軸と水平な方向に形成されていることが好ましい。しかしながら、上記λ／４波長層は、必ずさらに含まれなければならない要素ではなく、場合によっては、上記光学異方性層に含まれるＡ、ＢまたはＣプレートを適切に組み合わせることだけでも、上記左円及び右円偏光された光を含む立体映像の観察は可能である。
【００７６】
本発明は、また、駆動状態で右眼用信号及び左眼用信号を含む映像信号を生成し、生成された上記信号を観察者側に伝達することができる映像生成部；上記映像生成部で伝達された映像信号が入射すれば、上記右眼用及び左眼用信号が互いに異なる偏光状態を有するように調節し、観察者側に伝達することができる偏光調節素子；及び上記偏光調節素子から伝達された映像信号が入射すれば、上記信号を透過させて観察者側に伝達することができるように配置され、上記式１で計算される数値が５０ｎｍ〜５００ｎｍであり、上記式２で計算される数値が０．１〜３である光学異方性層を含む立体映像表示装置に関するものである。
【００７７】
図９は、上記装置１０を例示的に示す図であり、図１で説明した立体映像表示装置の偏光調節素子１５の前面に上記光学異方性層１０１が付着している状態を示す。
【００７８】
上記立体映像表示装置に関する具体的な事項は、既に記述した通りであり、具体的には、上記偏光メガネと関連した説明項目で光学異方性層が配置される位置が上記立体映像表示装置の内部に変更されることを除いて、他の事項は、既に記述された内容が同一に適用されることができる。例えば、上記項目で偏光メガネの左眼用領域の光学異方性層の光軸に関する説明は、上記立体映像表示装置で偏光調節素子を透過した左眼用信号が透過する光学異方性層の領域１０１Ｌに対して同一に適用されることができ、上記偏光メガネの右眼用領域の光学異方性層の光軸に関する説明は、上記立体映像表示装置において偏光調節素子を透過した右眼用信号が透過する光学異方性層の領域１０１Ｒに対して同一に適用されることができる。また、上記偏光メガネと関連した説明において光学異方性層の光軸と偏光子の光吸収軸の関係に関する説明は、上記立体映像表示装置を観察するのに使用される偏光メガネの左眼用領域の中心と右眼用領域の中心を連結する線を上記立体映像表示装置の第２偏光板の光吸収軸と水平を成すように配置した状態で同一に適用されることができる。
【００７９】
上記立体映像表示装置で発生する立体映像信号は、左眼用領域と右眼用領域を含み、上記左眼用領域と右眼用領域がそれぞれ偏光子を含む立体映像観察用メガネを使用して観察することができる。上記で左眼用領域と右眼用領域に含まれる偏光子の光吸収軸は、互いに同一の方向に形成されていてもよい。また、上記偏光メガネの左眼用領域の中心と右眼用領域の中心を連結する線を上記立体映像表示装置の第２偏光板の光吸収軸と水平を成すように配置した状態で上記左眼用及び右眼用領域の偏光子において同一の方向に形成された光吸収軸は、上記第２偏光板の光吸収軸と垂直を成すことができる。
【００８０】
また、既に記述したように、上記立体映像表示装置で出射される映像信号は、左円偏光された光と右円偏光された光を含むことが好ましく、これにより、上記偏光調節素子の右眼用及び左眼用領域には、それぞれ互いに異なる方向に光軸が形成されたλ／４波長層が配置されているか、または３λ／４波長層及びλ／４波長層が配置されていてもよい。
［発明を実施するための形態］
【００８１】
以下、本発明による実施例及び本発明によらない比較例を通じて本発明をさらに詳しく説明するが、本発明の範囲がこれに限定されるものではない。
本明細書においての各物性は、下記の方式で評価する。
【００８２】
１．光学異方性層または光学異方性フィルムの位相差数値
光学異方性層または光学異方性フィルムの５５０ｎｍの波長の光に対する面方向の位相差Ｒｉｎ及び厚さ方向の位相差Ｒｔｈをそれぞれ求め、測定された面方向の位相差Ｒｉｎを式１の結果とし、測定された面方向の位相差Ｒｉｎと厚さ方向の位相差Ｒｔｈの比率Ｒｉｎ／Ｒｔｈを式２の結果として求めた。具体的には、１６個のミュラーマトリクス（Ｍｕｌｌｅｒ  Ｍａｔｒｉｘ）を測定することができる装備であるＡｘｏｓｃａｎ（Ａｘｏｍａｔｒｉｃｓ）社製を使用して、製造社のマニュアルによって光学異方性フィルムまたは光学異方性層の１６個のミュラーマトリクスを測定し、これを通じて面方向の位相差と厚さ方向の位相差を抽出する。２個以上の光学異方性フィルムが使用される場合、それぞれのフィルムの面方向の位相差を別に測定し、これを合算した数値を全体光学異方性層の面方向の位相差とし、また、それぞれのフィルムの厚さ方向の位相差を別に測定し、これを合算した数値を厚さ方向の位相差として式１と式２の結果を求めた。
【００８３】
２．視野角特性の評価方法
実施例及び比較例において立体映像を観察したときの視野角特性は、Ａｕｔｒｏｎｉｃｓ社のＤＩＭＯＳ（ｄｉｓｐｌａｙ  ｍｏｄｅｌｉｎｇ  ｓｙｓｔｅｍ）を使用して シミュレーション（ｓｉｍｕｌａｔｉｏｎ）した。シミュレーション時に方位角（ａｚｉｍｕｔｈａｌ  ａｎｇｌｅ）を０度〜３６０度に設定し、極角（ｐｏｌａｒ  ａｎｇｌｅ）を０度〜８０度に設定し、その結果を図１０〜図２０に示した。
【００８４】
実施例１
図１に示されたような構造を有する立体映像表示装置として偏光調節素子１５の右眼用領域と左眼用領域には、いずれもλ／４波長層が配置され、且つ右眼用領域のλ／４波長層の光軸は、第２偏光板１４の光吸収軸を基準に時計方向に４５度を成し、左眼用領域のλ／４波長層の光軸は、上記右眼用領域のλ／４波長層の光軸と垂直を成している装置を使用して、上記装置から出射される立体映像を図６に示された構造を有する偏光メガネを着用し観察するときの視野角特性を評価した。上記で偏光メガネの左眼用及び右眼用領域に含まれる偏光子６２Ｌ、６２Ｒは、同一の方向に形成されている光吸収軸をそれぞれ含み、また上記偏光メガネの左眼用領域の中心と右眼用領域の中心を連結する仮想の線が上記立体映像表示装置の第２偏光板１４の光吸収軸と水平となるように上記偏光メガネを位置させれば、上記偏光子６２Ｌ、６２Ｒの光吸収軸と上記第２偏光板１４の光吸収軸が垂直を成すように配置した。また、偏光メガネの光学異方性層６１Ｌ、６１Ｒは、偏光子６２Ｌ、６２Ｒ上に順に厚さ方向の位相差（Ｒｔｈ＝ＤＺ−ＤＹ）が１４０ｎｍである＋Ｃプレートと面方向の位相差（Ｒｉｎ＝ＤＸ−ＤＹ）が１２５ｎｍであり、厚さ方向の位相差（Ｒｔｈ＝ＤＺ−ＤＹ）が−３８ｎｍである−Ｂプレートを付着して構成し、且つ上記で右眼用領域に付着される−Ｂプレートの光軸は、上記第２偏光板１４の光吸収軸を基準に時計方向に４５度の角度で形成し、左眼用領域に付着される−Ｂプレートの光軸は、上記第２偏光板１４の光吸収軸を基準に反時計方向に４５度を成すようにした。上記で＋Ｃプレートとしては、通常的な液晶フィルムタイプのフィルムであって、光硬化型垂直配向型液晶を使用して製作したフィルムを使用し、−Ｂプレートとしては、ＣＯＰ（Ｃｙｃｌｉｃ  ｏｌｅｆｉｎ  ｐｏｌｙｍｅｒ）系の高分子フィルムを使用した。上記偏光メガネにおいて映像信号が入射する側から順次に形成された偏光子及び光学異方性層の具体的な事項は、下記表１の通りである。
【００８５】
【表１】
0006044846.tif 000002
【００８６】
実施例２
光学異方性層６１Ｌ、６１Ｒを、偏光子６２Ｌ、６２Ｒ上に順に厚さ方向の位相差（Ｒｔｈ＝ＤＺ−ＤＹ）が１９０ｎｍであり、面方向の位相差（Ｒｉｎ＝ＤＸ−ＤＹ）が１２５ｎｍである＋Ｂプレートと厚さ方向の位相差（Ｒｔｈ＝ＤＺ−ＤＹ）が−４０ｎｍである−Ｃプレートを付着して構成し、且つ上記で右眼用領域に付着される＋Ｂプレートの光軸は、上記第２偏光板１４の光吸収軸を基準に時計方向に４５度の角度で形成し、左眼用領域に付着される＋Ｂプレートの光軸は、上記第２偏光板１４の光吸収軸を基準に反時計方向に４５度を成すようにしたことを除いて、実施例１と同一にして視野角特性を評価した。上記で−Ｃプレートとしては、通常的な液晶フィルムタイプの位相差フィルムであって、光硬化型垂直配向型液晶を使用して製作したフィルムを使用し、＋Ｂプレートとしては、ポリアクリレート系の高分子フィルムを使用した。偏光メガネにおいて映像信号が入射する側から順次に形成された偏光子及び光学異方性層の具体的な事項は、下記表２の通りである。
【００８７】
【表２】
0006044846.tif 000003
【００８８】
実施例３
偏光メガネの光学異方性層６１Ｌ、６１Ｒを、偏光子６２Ｌ、６２Ｒ上に順に厚さ方向の位相差（Ｒｔｈ＝ＤＺ−ＤＹ）が１４０ｎｍであり、面方向の位相差（Ｒｉｎ＝ＤＸ−ＤＹ）が９０ｎｍである＋Ｂプレートと面方向の位相差（Ｒｉｎ＝ＤＸ−ＤＹ）が３５ｎｍである＋Ａプレートを付着して構成し、且つ右眼用領域に付着される＋Ｂプレート及び＋Ａプレートの光軸は、第２偏光板１４の光吸収軸を基準に時計方向に４５度の角度で形成し、左眼用領域に付着される＋Ｂプレート及び＋Ａプレートの光軸は、第２偏光板１４の光吸収軸を基準に反時計方向に４５度を成すようにしたことを除いて、実施例１と同一にして視野角特性を評価した。上記で＋Ｂプレートとしては、ポリアクリレート系の高分子フィルムを使用し、＋Ａプレートとしては、ポリカーボネート系の高分子フィルムを使用した。上記偏光メガネにおいて映像信号が入射する側から順次に形成された偏光子及び光学異方性層の具体的な事項は、下記表３の通りである。
【００８９】
【表３】
0006044846.tif 000004
【００９０】
実施例４
偏光メガネの光学異方性層６１Ｌ、６１Ｒを、偏光子６２Ｌ、６２Ｒ上に順に面方向の位相差（Ｒｉｎ＝ＤＸ−ＤＹ）が１５０ｎｍである＋Ａプレート；厚さ方向の位相差（Ｒｔｈ＝ＤＺ−ＤＹ）が１５０ｎｍである＋Ｃプレート；及び面方向の位相差（Ｒｉｎ＝ＤＸ−ＤＹ）が１２５ｎｍである＋Ａプレートを付着して構成し、且つ右眼用領域に付着される面方向の位相差が１２５ｎｍである＋Ａプレートの光軸は、第２偏光板１４の光吸収軸を基準に時計方向に４５度の角度で形成し、面方向の位相差が１５０ｎｍである＋Ａプレートの光軸は、第２偏光板１４の光吸収軸と水平を成すように配置し、左眼用領域に付着される面方向の位相差が１２５ｎｍである＋Ａプレートの光軸は、第２偏光板１４の光吸収軸を基準に反時計方向に４５度の角度で形成し、面方向の位相差が１５０ｎｍである＋Ａプレートの光軸は、第２偏光板１４の光吸収軸と水平を成すように配置したことを除いて、実施例１と同一にして視野角特性を評価した。上記で＋Ａプレートとしては、ポリカーボネート系の高分子フィルムを使用し、＋Ｃプレートとしては、光硬化型垂直配向型液晶を使用して製作したフィルムを使用した。偏光メガネにおいて映像信号が入射する側から順次に形成された偏光子及び光学異方性層の具体的な事項は、下記表４の通りである。
【００９１】
【表４】
0006044846.tif 000005
【００９２】
実施例５
偏光メガネの光学異方性層６１Ｌ、６１Ｒを、偏光子６２Ｌ、６２Ｒ上に順に面方向の位相差（Ｒｉｎ＝ＤＸ−ＤＹ）が１４０ｎｍである＋Ａプレート及び厚さ方向の位相差（Ｒｔｈ＝ＤＺ−ＤＹ）が２００ｎｍであり、面方向の位相差（Ｒｉｎ＝ＤＸ−ＤＹ）が１２５ｎｍである＋Ｂプレートを付着して構成し、且つ右眼用領域に付着される＋Ｂプレートの光軸は、第２偏光板１４の光吸収軸を基準に時計方向に４５度の角度で形成し、＋Ａプレートの光軸は、第２偏光板１４の光吸収軸と水平を成すように配置し、左眼用領域に付着される＋Ｂプレートの光軸は、第２偏光板１４の光吸収軸を基準に反時計方向に４５度の角度で形成し、＋Ａプレートの光軸は、第２偏光板１４の光吸収軸と水平を成すように配置したことを除いて、実施例１と同一にして視野角特性を評価した。上記で＋Ａプレートとしては、ポリカーボネート系の高分子フィルムを使用し、＋Ｂプレートとしては、ポリアクリレート系の光学異方性層を使用した。上記偏光メガネで映像信号が入射する側から順次に形成された偏光子及び光学異方性層の具体的な事項は、下記表５の通りである。
【００９３】
【表５】
0006044846.tif 000006
【００９４】
実施例６
偏光メガネの光学異方性層６１Ｌ、６１Ｒを、偏光子６２Ｌ、６２Ｒ上に順に面方向の位相差（Ｒｉｎ＝ＤＸ−ＤＹ）が１４０ｎｍである＋Ａプレート；厚さ方向の位相差（Ｒｔｈ＝ＤＺ−ＤＹ）が１５０ｎｍである＋Ｃプレート；面方向の位相差Ｒｉｎ＝ＤＸ−ＤＹが１２５ｎｍである＋Ａプレート及び厚さ方向の位相差（Ｒｔｈ＝ＤＺ−ＤＹ）が９０ｎｍである＋Ｃプレートを付着して構成し、且つ右眼用領域に付着される面方向の位相差が１２５ｎｍである＋Ａプレートの光軸は、第２偏光板１４の光吸収軸を基準に時計方向に４５度の角度で形成し、面方向の位相差が１４０ｎｍである＋Ａプレートの光軸は、第２偏光板１４の光吸収軸と水平を成すように配置し、左眼用領域に付着される面方向の位相差が１２５ｎｍである＋Ａプレートの光軸は、第２偏光板１４の光吸収軸を基準に反時計方向に４５度の角度で形成し、面方向の位相差が１４０ｎｍである＋Ａプレートの光軸は、第２偏光板１４の光吸収軸と水平を成すように配置したことを除いて、実施例１と同一にして視野角特性を評価した。上記で＋Ａプレートとしては、ポリカーボネート系の高分子フィルムを使用し、＋Ｃプレートとしては、光硬化型垂直配向型液晶を使用して製作したフィルムを使用した。上記偏光メガネにおいて映像信号が入射する側から順次に形成された偏光子及び光学異方性層の具体的な事項は、下記表６の通りである。
【００９５】
【表６】
0006044846.tif 000007
【００９６】
実施例７
偏光メガネの光学異方性層６１Ｌ、６１Ｒを、偏光子６２Ｌ、６２Ｒ上に順に面方向の位相差（Ｒｉｎ＝ＤＸ−ＤＹ）が１５０ｎｍである＋Ａプレート；厚さ方向の位相差（Ｒｔｈ＝ＤＺ−ＤＹ）が２３０ｎｍであり、面方向の位相差（Ｒｉｎ＝ＤＸ−ＤＹ）が１２５ｎｍである＋Ｂプレート；厚さ方向の位相差（Ｒｔｈ＝ＤＺ−ＤＹ）が−４０ｎｍである−Ｃプレートを付着して構成し、且つ右眼用領域に付着される＋Ｂプレートの光軸は、第２偏光板１４の光吸収軸を基準に時計方向に４５度の角度で形成し、＋Ａプレートの光軸を第２偏光板１４と水平を成すように形成し、左眼用領域に付着される＋Ｂプレートの光軸は、第２偏光板１４の光吸収軸を基準に反時計方向に４５度の角度で形成し、＋Ａプレートの光軸を第２偏光板１４と水平を成すように形成したことを除いて、実施例１と同一にして視野角特性を評価した。上記で＋Ａプレートとしては、ポリカーボネート系の高分子フィルムを使用し、−Ｃプレートとしては、ＴＡＣ（ｔｒｉａｃｅｔｙｌ  ｃｅｌｌｕｌｏｓｅ）系のフィルムを使用し、＋Ｂプレートとしては、ポリアクリレート系の高分子光学異方性層を使用した。上記偏光メガネにおいて映像信号が入射する側から順次に形成された偏光子及び光学異方性層の具体的な事項は、下記表７の通りである。
【００９７】
【表７】
0006044846.tif 000008
【００９８】
実施例８
偏光メガネの光学異方性層６１Ｌ、６１Ｒを、偏光子６２Ｌ、６２Ｒ上に順に面方向の位相差（Ｒｉｎ＝ＤＸ−ＤＹ）が１４０ｎｍである＋Ａプレート；厚さ方向の位相差（Ｒｔｈ＝ＤＺ−ＤＹ）が１９０ｎｍであり、面方向の位相差（Ｒｉｎ＝ＤＸ−ＤＹ）が９０ｎｍである＋Ｂプレート；及び面方向の位相差（Ｒｉｎ＝ＤＸ−ＤＹ）が３５ｎｍである＋Ａプレートを付着して構成し、且つ右眼用領域に付着される＋Ｂプレート及び面方向の位相差が３５ｎｍである＋Ａプレートの光軸は、第２偏光板１４の光吸収軸を基準に時計方向に４５度の角度で形成し、面方向の位相差が１４０ｎｍである＋Ａプレートの光軸を第２偏光板１４と水平を成すように形成し、左眼用領域に付着される＋Ｂプレート及び面方向の位相差が３５ｎｍである＋Ａプレートの光軸は、第２偏光板１４の光吸収軸を基準に反時計方向に４５度の角度で形成し、面方向の位相差が１４０ｎｍである＋Ａプレートの光軸を第２偏光板１４と水平を成すように形成したことを除いて、実施例１と同一にして視野角特性を評価した。上記で＋Ａプレートとしては、ポリカーボネート系のフィルムを使用し、＋Ｂプレートとしては、ポリアクリレート系の高分子光学異方性層を使用した。上記偏光メガネにおいて映像信号が入射する側から順次に形成された偏光子及び光学異方性層の具体的な事項は、下記表８の通りである。
【００９９】
【表８】
0006044846.tif 000009
【０１００】
実施例９
偏光メガネの光学異方性層６１Ｌ、６１Ｒを、偏光子６２Ｌ、６２Ｒ上に順に面方向の位相差（Ｒｉｎ＝ＤＸ−ＤＹ）が１４０ｎｍである＋Ａプレート；厚さ方向の位相差（Ｒｔｈ＝ＤＺ−ＤＹ）が９０ｎｍである＋Ｃプレート；及び面方向の位相差（Ｒｉｎ＝ＤＸ−ＤＹ）が１２５ｎｍであり、厚さ方向の位相差（Ｒｔｈ＝ＤＺ−ＤＹ）が１４０ｎｍである＋Ｂプレートを付着して構成し、且つ右眼用領域に付着される＋Ｂプレートの光軸は、第２偏光板１４の光吸収軸を基準に時計方向に４５度の角度で形成し、＋Ａプレートの光軸を第２偏光板１４と水平を成すように形成し、左眼用領域に付着される＋Ｂプレートの光軸は、第２偏光板１４の光吸収軸を基準に反時計方向に４５度の角度で形成し、＋Ａプレートの光軸を第２偏光板１４と水平を成すように形成したことを除いて、実施例１と同一にして視野角特性を評価した。上記で＋Ａプレートとしては、ポリカーボネート系のフィルムを使用し、＋Ｃプレートとしては、光硬化型垂直配向型液晶を使用して製作したフィルムを使用し、＋Ｂプレートとしては、ポリアクリレート系の高分子光学異方性層を使用した。上記偏光メガネにおいて映像信号が入射する側から順次に形成された偏光子及び光学異方性層の具体的な事項は、下記表９の通りである。
【０１０１】
【表９】
0006044846.tif 000010
【０１０２】
実施例１０
偏光メガネの光学異方性層６１Ｌ、６１Ｒを、偏光子６２Ｌ、６２Ｒ上に順に面方向の位相差（Ｒｉｎ＝ＤＸ−ＤＹ）が２７５ｎｍであり、厚さ方向の位相差（Ｒｔｈ＝ＤＺ−ＤＹ）が１４０ｎｍである＋Ｂプレート；及び面方向の位相差（Ｒｉｎ＝ＤＸ−ＤＹ）が１２５ｎｍであり、厚さ方向の位相差（Ｒｔｈ＝ＤＺ−ＤＹ）が１４０ｎｍである＋Ｂプレートを付着して構成し、且つ右眼用領域に付着される面方向の位相差が１２５ｎｍである＋Ｂプレートの光軸は、第２偏光板１４の光吸収軸を基準に時計方向に４５度の角度で形成し、面方向の位相差が２７５ｎｍである＋Ｂプレートの光軸を第２偏光板１４と水平を成すように形成し、左眼用領域に付着される面方向の位相差が１２５ｎｍである＋Ｂプレートの光軸は、第２偏光板１４の光吸収軸を基準に反時計方向に４５度の角度で形成し、面方向の位相差が２７５ｎｍである＋Ｂプレートの光軸を第２偏光板１４と水平を成すように形成したことを除いて、実施例１と同一にして視野角特性を評価した。＋Ｂプレートとしては、ポリアクリレート系の高分子光学異方性層を使用した。上記偏光メガネにおいて映像信号が入射する側から順次に形成された偏光子及び光学異方性層の具体的な事項は、下記表１０の通りである。
【０１０３】
【表１０】
0006044846.tif 000011
【０１０４】
比較例１
本発明による光学異方性層が付着しない偏光メガネであって、左円偏光された光と右円偏光された光を含む立体映像を観察するのに通常的に使用される偏光メガネを使用して、実施例１と同一の装置で出射される立体映像を観察するときの特性を評価した。
【０１０５】
視野角特性検討
添付の図１０〜図１９は、それぞれ実施例１〜１０の場合の視野角特性の模写結果であり、図２０は、比較例１の場合の視野角特性の評価結果である。図面の内容からも明らかなように、本発明による偏光メガネの場合、クロストークの発生が最小化され、優れた視野角特性を示した。
【０１０６】
実施例１１〜２０
実施例１〜１０のそれぞれの場合で、光学異方性層を偏光メガネに付着する代わりに、立体映像表示装置の偏光調節素子１５の前面に付着し、図９に示されたような装置を構成し、上記光学異方性層を付着しないことを除いて、それぞれ実施例１〜１０と同一の偏光メガネを使用して立体映像を観察する場合の視野角特性を評価した。上記で偏光調節素子１５の右眼用領域に当接する光学異方性層１０１Ｒは、偏光メガネの右眼用領域に含まれる光学異方性層と同一に光軸などを調節し、偏光調節素子１５の左眼用領域に当接する光学異方性層１０１Ｌは、各当該実施例の偏光メガネの左眼用領域に含まれる光学異方性層と同一に光軸などを調節した。また、偏光調節素子１５に付着される各光学異方性層の順序は、それぞれの実施例の場合と同一にし、且つ各実施例で偏光メガネの偏光子に直接付着した光学異方性層が偏光調節素子１５から最も遠く離れて付着するようにした（すなわち、実施例１に対応する実施例１１の場合、偏光調節素子１５上に−Ｂプレートがまず付着し、その後、＋Ｃプレートを付着した）。上記のように構成された立体映像表示装置で立体映像を観察し、その結果を評価した結果、実施例１１〜２０は、それぞれ実施例１〜１０と同一の視野角特性を示すことを確認した。
【符号の説明】
【０１０７】
１、１０  立体映像表示装置
６  偏光メガネ
１１  光源
１２、１４  第１及び第２偏光板
１３  映像生成素子
１５  偏光調節素子
６１Ｌ、６１Ｒ、１０１  光学異方性層
６２Ｌ、６２Ｒ  偏光子
８０  光軸の二等分線
ＳＲ  右眼用信号生成領域
ＳＬ  左眼用信号生成領域
ＰＲ  右眼用信号偏光調節領域
ＰＬ  左眼用信号偏光調節領域
Ｃ  偏光メガネの左眼用または右眼用領域の重さ中心
ＣＬ  偏光メガネの左眼用または右眼用領域の重さ中心を連結する仮想の線
【図１】
0006044846.tif 000012
【図２】
0006044846.tif 000013
【図３】
0006044846.tif 000014
【図４】
0006044846.tif 000015
【図５】
0006044846.tif 000016
【図６】
0006044846.tif 000017
【図７】
0006044846.tif 000018
【図８】
0006044846.tif 000019
【図９】
0006044846.tif 000020
【図１０】
0006044846.tif 000021
【図１１】
0006044846.tif 000022
【図１２】
0006044846.tif 000023
【図１３】
0006044846.tif 000024
【図１４】
0006044846.tif 000025
【図１５】
0006044846.tif 000026
【図１６】
0006044846.tif 000027
【図１７】
0006044846.tif 000028
【図１８】
0006044846.tif 000029
【図１９】
0006044846.tif 000030
【図２０】
0006044846.tif 000031